(57)【特許請求の範囲】
【請求項１】
筐体を、上方ケースと下方ケースとからなる２分割構造とし、
該下方ケースに、隣接する端子を段違いに配置した段違い端子部を設けた開閉器であって、
該上方ケースと該下方ケースは、互いに当接して前記筐体の横側面を構成する横側壁を備え、
前記端子間を隔てる端子間隔壁を、前記上方ケースまたは前記下方ケースの何れか一方から、他方のケースに向けて突出形成したことを特徴とする開閉器。
【請求項２】
前記端子間隔壁を、前記下方ケースから上方向に突出形成するとともに、
前記上方ケースには、該端子間隔壁が係合する係合部を形成したことを特徴とする請求項１記載の開閉器。
【請求項３】
前記係合部を、前記上方ケースの前側壁もしくは後側壁の少なくとも何れかに形成し、前記端子間隔壁に、該係合部と係合する段部を形成したことを特徴とする請求項２記載の開閉器。
【請求項４】
前記係合部として、前記端子間隔壁を挟止する切欠部を形成したことを特徴とする請求項２または３記載の開閉器。
【請求項５】
前記端子間隔壁を、前記上方ケースから下方向に突出形成するとともに、
前記下方ケースには、該端子間隔壁が嵌合する凹部を形成したことを特徴とする請求項１記載の開閉器。
【請求項６】
前記凹部は、最下端に位置する段違い端子部よりも、さらに下方位置まで窪ませたことを特徴とする請求項５記載の開閉器。
【発明の詳細な説明】
【技術分野】
【０００１】
本発明は、回路遮断器や漏電遮断器等の開閉器に関するものである。
【背景技術】
【０００２】
回路遮断器や漏電遮断器等の開閉器は、上方ケースと下方ケースとに２分割される筐体と、下方ケースに固定され、電源側と負荷側とにそれぞれ複数設けられた端子部とを備えており、この下方ケースの開口部を覆うように、上方ケースが取付けられる。また、特許文献１のように、上方ケースと下方ケースの双方からは、各極の隣接する端子間を隔てる端子間隔壁が、他方のケースに向けて突出形成されている。さらに、上方ケースと下方ケースにはそれぞれ横側壁が形成されている。そして、双方の端子間隔壁を接合して端子間の絶縁距離を確保するとともに、双方の横側壁を当接させてケースの組立を行うことで、筐体の横側面が構成される。
【０００３】
以上のように構成された開閉器を小型化する際には、その筐体幅を小さくするために端子間隔壁が幅狭に形成されるとともに、端子間の絶縁距離を確保することや端子部への電線の接続が容易となるように、隣接する端子を上下方向に段違いに配置した段違い端子部が設けられる。
【０００４】
しかしながら、段違い端子部とする場合、図９に示すように上方ケース２と下方ケース３の双方に形成された端子間隔壁２０、３０の接合部４０により近い箇所に、上方の段違い端子部５０ａが配置されることとなり、下方の段違い端子部５０ｂとの端子間の絶縁距離を充分に確保できないこと、詳しくは、下方の段違い端子部５０ｂに圧着端子等を接続したとき、下方の段違い端子部５０ｂが圧着端子の厚みにより接合部４０に近接することにより端子間の絶縁距離を確保できないという問題があった。
【先行技術文献】
【特許文献】
【０００５】
【特許文献１】特開２００９−４３５１７号公報
【発明の概要】
【発明が解決しようとする課題】
【０００６】
本発明の目的は前記した従来の問題点を解決し、段違い端子部を設けた場合においても、ケース組立性を損なうことなく、かつ、端子間の充分な絶縁距離を確保可能とした開閉器を提供することである。
【課題を解決するための手段】
【０００７】
上記課題を解決するためになされた本発明は、筐体を、上方ケースと下方ケースとからなる２分割構造とし、該下方ケースに、隣接する端子を段違いに配置した段違い端子部を設けた開閉器であって、該上方ケースと該下方ケースは、互いに当接して前記筐体の横側面を構成する横側壁を備え、前記端子間を隔てる端子間隔壁を、前記上方ケースまたは前記下方ケースの何れか一方から、他方のケースに向けて突出形成したことを特徴とするものである。
【０００８】
請求項２記載の発明は、請求項１記載の開閉器において、前記端子間隔壁を、前記下方ケースから上方向に突出形成するとともに、前記上方ケースには、該端子間隔壁が係合する係合部を形成したことを特徴とするものである。
【０００９】
請求項３記載の発明は、請求項２記載の開閉器において、前記係合部を、前記上方ケースの前側壁もしくは後側壁の少なくとも何れかに形成し、前記端子間隔壁に、該係合部と係合する段部を形成したことを特徴とするものである。
【００１０】
請求項４記載の発明は、請求項２または３記載の開閉器において、前記係合部として、前記端子間隔壁を挟止する切欠部を形成したことを特徴とするものである。
【００１１】
請求項５記載の発明は、請求項１記載の開閉器において、前記端子間隔壁を、前記上方ケースから下方向に突出形成するとともに、前記下方ケースには、該端子間隔壁が嵌合する凹部を形成したことを特徴とするものである。
【００１２】
請求項６記載の発明は、請求項５記載の開閉器において、前記凹部は、最下端に位置する段違い端子部よりも、さらに下方位置まで窪ませたことを特徴とするものである。
【発明の効果】
【００１３】
本発明に係る開閉器は、上方ケースまたは下方ケースの何れか一方から、端子間を隔てる端子間隔壁を、他方のケースに向けて突出形成するものとした。これにより、段違い端子部を設けた場合でも、一方のケースのみから端子間隔壁を突出形成することで、従来のような双方のケースから突出形成した端子間隔壁の接合部がなくなるため、端子間の充分な絶縁距離を確保可能となる。また、上方ケースと下方ケースとに横側壁を形成した上で、双方の横側壁を互いに当接させて筐体の横側面を構成するものとした。これにより、双方のケースの横側壁の端部を合わせることで、上方ケースと下方ケースとの組立時の位置決めが容易に可能となり、即ち、組立性が損なわれることもない。さらに、前述のように双方のケースに横側壁を形成したことにより、外部端子との絶縁距離を確保することが可能になる他、使用者の指が外側から滑り込み、段違い端子部に触れることを防止することもできる。
【００１４】
請求項２に係る発明のように、端子間隔壁を、下方ケースから上方向に突出形成するとともに、上方ケースには、この端子間隔壁が係合する係合部を形成することが好ましく、これにより、上方ケースと下方ケースとの組立時の位置決めが容易となると同時に、組立後は上方ケースが移動してずれることがないよう規制することができる。さらに請求項３に係る発明のように、係合部を、上方ケースの前側壁もしくは後側壁の少なくとも何れかに形成し、端子間隔壁に、この係合部と係合する段部を形成すれば、上方ケースが下方ケースに対して前後方向に移動してずれることを防止することができる。また、請求項４に係る発明のように、係合部として、端子間隔壁を挟止する切欠部を形成したことで、上方ケースが下方ケースに対して左右方向、即ち筐体の幅方向に移動してずれることを防止することができる。
【００１５】
請求項５に係る発明のように、端子間隔壁を、上方ケースから下方向に突出形成するとともに、下方ケースには、この端子間隔壁が嵌合する凹部を形成する構成とすることによっても、上方ケースが移動してずれることがないよう規制することが可能となる。また、請求項６に係る発明のように、凹部は、最下端に位置する段違い端子部よりも、さらに下方位置まで窪ませることにより、端子間の絶縁距離をより長くすることもできる。
【図面の簡単な説明】
【００１６】
【図１】第１の実施形態を示す斜視図である。
【図２】第１の実施形態を示す正面図である。
【図３】第１の実施形態における上方ケースと下方ケースとの組立時を示す斜視図である。
【図４】図３における上方ケースの横側壁と下方ケースの横側壁とを示す拡大図である。
【図５】本発明の開閉器を複数隣接配置した際の正面図である。
【図６】第２の実施形態を示す斜視図である。
【図７】第２の実施形態を示す正面図である。
【図８】第２の実施形態における上方ケースと下方ケースとの組立時を示す斜視図である。
【図９】従来の開閉器の状態を示す正面図である。
【発明を実施するための形態】
【００１７】
前後方向、左右方向、上下方向とは、図１に示す方向を各々指すものとして、上下方向は上方ケース２、下方ケース３方向を示し、前後方向は開閉器の長手方向の両端部に形成した段違い端子部５、５方向を示し、左右方向は開閉器の幅方向を示すものである。以下に本発明の好ましい実施形態を示す。
第１の実施形態として図１に示す開閉器は、上方ケース２と下方ケース３とに２分割される筐体１を備えている。この下方ケース３には、開閉を行う操作ハンドルを備えた機構部４と、電源側と負荷側とにそれぞれ３個ずつ、上下方向に段違いに配置された段違い端子部５が固定されており、下方ケース３の開口部を覆うように、上方ケース２が取付けられる。上方ケース２と下方ケース３は、双方に形成されたネジ孔部６、６にネジを挿通することにより固定される。なお、このネジ孔部６は、筐体１の四隅に形成するものとし、少なくとも一方の対角にあるネジ孔部６を、双方のケースの固定のために使用し、他方の対角にあるネジ孔部６を、例えば、図示しない取付板の取付ネジを挿通するために使用することもできる。
【００１８】
図２のように、各極の隣接する段違い端子部５ａ、５ｂは上下方向に段違いに配置され、第１の実施形態においては、中央の段違い端子部５ａを左右の段違い端子部５ｂ、５ｂよりも高い位置に設けるものとし、さらに左右の段違い端子部５ｂ、５ｂは略同一の高さに設けるものとした。
【００１９】
図３のように、下方ケース３からは、隣接する段違い端子部５ａ、５ｂの端子間を隔てる端子間隔壁７を、上方ケース２に向けて、即ち上方向に突出形成するものとした。なお、上方ケース２には、端子間隔壁７は形成しないものとした。これは、上方ケース２にわずかでも端子間隔壁７を形成してしまうと、その箇所が強度不足となり、破損する恐れがあるためである。以上のような構成により、段違い端子部５ａ、５ｂを設けた場合でも、下方ケース３のみから端子間隔壁７を突出形成することで、図９に示すような上方ケース２及び下方ケース３の双方から突出形成した端子間隔壁２０、３０の接合部４０がなくなるため、段違い端子部５ａ、５ｂの端子間の充分な絶縁距離を確保可能となる。なお、端子間隔壁７の上端は、後述する上方ケース２の横側壁８ａの上端と略同一の高さとなるよう形成している。端子間隔壁７の上端と横側壁８ａの上端の高さを各々ずらすものであっても良いが、端子間隔壁７の上部に図示しない端子カバー等を取り付ける場合には略同一の高さとすることが好ましい。
【００２０】
筐体１の横側面は、上方ケース２の横側壁８ａと下方ケース３の横側壁８ｂとを互いに当接させることにより構成するものとした。これにより、双方のケースの横側壁８ａ、８ｂの端部を合わせることで、上方ケース２と下方ケース３との組立時の位置決めが容易に可能となり、組立性が損なわれることもない。さらに、双方のケースに横側壁８ａ、８ｂを形成したことにより、外部端子との絶縁距離を確保することが可能になる他、使用者の指が外側から滑り込み、左右の段違い端子部５ｂ、５ｂに触れることを防止することもできる。なお、従来は、端子間隔壁７にネジ孔部６を形成するものであるが、本実施形態においては、横側壁８ａ、８ｂに沿った位置で、段違い端子部５ｂよりも筐体１内側に形成するものとし、端子間隔壁７の幅を小さくすることを可能としているものである。
【００２１】
図３及び図４に示すように、下方ケース３の横側壁８ｂの上面には、上方に突出形成した凸部９を筐体１の長手方向に沿って設けるものとし、さらに上方ケース２の横側壁８ａの下面には、この凸部９が嵌合する凹部１０を、同様に筐体１の長手方向に沿って設けるものとした。これにより、凸部９と凹部１０とを嵌合させることで位置決めが容易に可能となるものとした。また、凸部９を下方ケース３に形成し、凹部１０を上方ケース２に形成しているものであるが、凸部９を上方ケース２に形成し、凹部１０を下方ケース３に形成するものであっても良い。
【００２２】
図３のように、上方ケース２には、端子間隔壁７が係合する係合部を形成することが好ましく、これにより、上方ケース２と下方ケース３との組立時の位置決めが容易となると同時に、組立後は上方ケース２が移動してずれることがないよう規制することができる。係合部は、上方ケース２の前側壁１１、及び図示しない後側壁に形成するものとし、端子間隔壁７には、この前側壁１１及び後側壁と係合する段部１２を形成するものとした。これにより、段部１２が前側壁１１及び後側壁と当接することで、上方ケース２が下方ケース３に対して前後方向に移動してずれることを防止することができる。さらに、係合部として端子間隔壁７を跨ぐようにして挟止する切欠部１３を形成することで、上方ケース２が下方ケース３に対して左右方向、即ち筐体１の幅方向に移動してずれることを防止することができる。
【００２３】
図５のように、第１の実施形態に示す開閉器を左右方向に複数隣接配置した場合でも、一方の開閉器の横側壁８ａ、８ｂと、他方の開閉器の横側壁８ａ、８ｂの厚さにより、一方の開閉器の段違い端子部５ｂと他方の開閉器の段違い端子部５ｂとの充分な絶縁距離を確保することができる。即ち、同様の構造の開閉器の筐体１を隣接配置できるように形成している。また、前述した凸部９及び凹部１０を筐体１の長手方向に沿って形成したことにより、開閉器を図５のように配置した場合において、絶縁距離をより長く確保することができる効果を有することとなる。このため、凸部９及び凹部１０は少なくとも開閉器の段違い端子部５ｂ近傍に設けるものが好ましい。
【００２４】
図６乃至図８には第２の実施形態を示す。この実施形態は、上方ケース２から、端子間隔壁７を下方ケース３に向けて、即ち下方向に突出形成するとともに、下方ケース３には、この端子間隔壁７が嵌合する凹部１４を形成する点のみが、第１の実施形態と異なるものである。第２の実施形態においても、端子間隔壁７が凹部１４に嵌合することにより、上方ケース２が移動してずれることがないよう規制することが可能となる。また、凹部１４は、左右の段違い端子部５ｂ、５ｂより、さらに下方位置まで窪ませるものとし、これにより端子間の絶縁距離をより長くすることができるものとした。なお、第２の実施形態においては、端子間隔壁７は上方ケース２からのみ突出形成するものとし、下方ケース３には端子間隔壁７を形成しないものとした。
【００２５】
第１の実施形態及び第２の実施形態の何れにおいても、端子間隔壁７の先端部（詳しくは前方向または後方向へ突出した箇所）は、切欠状に形成するものとし、この先端部には図示しない端子カバーや絶縁バリア等を取付可能としても良い。
【符号の説明】
【００２６】
１  筐体
２  上方ケース
３  下方ケース
４  機構部
５  段違い端子部
６  ネジ孔部
７  端子間隔壁
８  横側壁
９  凸部
１０  凹部
１１  前側壁
１２  段部
１３  切欠部
１４  凹部
２０  上方ケースの端子間隔壁
３０  下方ケースの端子間隔壁
４０  接合部
５０  段違い端子部
【図１】
0006347706.tif 000002
【図２】
0006347706.tif 000003
【図３】
0006347706.tif 000004
【図４】
0006347706.tif 000005
【図５】
0006347706.tif 000006
【図６】
0006347706.tif 000007
【図７】
0006347706.tif 000008
【図８】
0006347706.tif 000009
【図９】
0006347706.tif 000010